(57)【要約】【課題】  折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる。【解決手段】頸椎方向である縦凸部区切りが直線状であり、凸部区切りの各幅が１０〜２０ｃｍ、凸部の各高さが１〜２０ｃｍであって、凸部間の凹部表裏に厚みを有さず、凸部を構成する中袋内の芯材が柔軟性を有する樹脂である折り畳み可能な枕とした。【選択図】図１
2017131605.tif 000002
【特許請求の範囲】
【請求項１】
頸椎方向である縦凸部区切りが直線状であり、凸部区切りの各幅が１０〜２０ｃｍ、凸部の各高さが１〜２０ｃｍであって、凸部間の凹部表裏に厚みを有さず、凸部を構成する中袋内の芯材が柔軟性を有する樹脂である折り畳み可能な枕。
【請求項２】
前記凸部が４個所以上、凹部が３か所以上で、該各凹部に内部の凸部を形成する中袋を挿入する仕切りを設け、前記中袋が形成する凸部間の段差が３か所以上形成するようにした前記請求項１及び２に記載の折り畳み可能な枕。
【請求項３】
前記中袋中央内部に頸椎方向に仕切りを設け、前記チューブ状樹脂の拡がりを阻止して凸部高さを一定に確保するようにした折り畳み可能な枕。
【発明の詳細な説明】
【発明の詳細な説明】
【技術分野】
【０００１】  本発明は、折り畳み時、凸部と凸部が互いに押しつぶされて折り畳みが可能となる折り畳み可能な枕に関するものである。
【従来技術】
【０００２】  例えば、特許文献１（特開２００９−０８２６３８号公報）には、「仰臥姿勢や横臥姿勢における使用感に優れると共に枕の高さや感触を使用者の体格や好みに合わせて変更可能な枕を提供するものであって、枕袋２は、縦方向の仮想中心線ｃを中心として左右対称にほぼ凸円弧形に縫合された円弧部７と、それら円弧部７の外側に縦方向に連続する波形に夫々縫合された波形部９を設け、それら円弧部と二つの横辺とにより囲まれる箇所を中央部６とし、円弧部及び波形部と二つの横辺とにより囲まれる箇所を中間部８とし、波形部及び縦辺と二つの横辺とにより囲まれる箇所を端部１０とし、中央部６の高さを最も低く、中間部８を中央部６とほぼ同じ若しくはやや高く、左右の端部１０を最も高くなるように設け、さらに、それら端部１０の上面に第１パッド２０を挿入する外側ポケット１１を夫々設け、枕カバー２５の裏面側の内面中央部に第２パッド３０を挿入する内側ポケット２９を設ける」旨が記載されている。
【０００３】  しかしながら、特許文献１においては、高さが３段階のみしか合わせられず、高さを調整したい場合、詰め物（中袋等）を取り出すなどの手間を要する。また、本体、カバー、内ポケット、内ポケットに入れるパッドなどのパーツが多いため折り畳みにくく、さらに折り畳んでも各パーツが型崩れする恐れがあり、パーツが多いために乾きにくい。したがって、折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる枕ではない。
【０００４】  また、特許文献２（特開２００３−３１９８６０号公報）には、「仰臥姿勢や横臥姿勢における使用感に優れると共に衛生的で使い勝手に優れた枕を提供するものであって、横長の矩形状枕部材１０は、短手方向の折り曲げ部１１を中心にして第１枕部材２０と第２枕部材３０とを左右に配置し、両枕部材は中央枕部２１，３１と、両側の縦方向に配置される一対の端枕部２２，３２と、それら端枕部の間で、かつ、横方向に配置される中間枕部２３，３３とに区画して形成されると共に、各枕部内に充填部材ｓを充填してなり、第１枕部材２０と第２枕部材３０とを折り曲げ部にて二つに折り重ねた状態において、中間枕部の高さを基準にして中央枕部を低く、端枕部をやや高く設けると共に、それら第１枕部材と第２枕部材の自由端部同士を止め具４０にて連結するように設けた枕部材１０を、袋体１に収容する」旨説明されている。
【０００５】  特許文献２は、多くの段階の高さを有するものでなく、高さを調整したい場合詰め物（中袋等）を取り出すなどの手間を有する。また、枕の中央部が横方向に仕切られた状態となっており使用する方向性が一部異なる。したがって、折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる枕ではない。
【０００６】  また、特許文献３（実登３１１２８６５号公報）には、「仰臥姿勢や横臥姿勢における使用感に優れると共に簡素な構造で製作コストを低減することができる枕を提供する者であって、表生地と裏生地とを袋状に縫い合わせて形成された横長矩形状の枕袋１は、縦方向の仮想中心線を中心として左右対称に凸円弧形に縫合された円弧部６，６と、それら円弧部の外側に縦方向に連続する凹凸形に夫々縫合された凹凸部８，８とを設け、それら円弧部と二つの横辺とにより囲まれる箇所を中央枕部５とし、円弧部及び凹凸部と二つの横辺とにより囲まれる箇所を中間枕部７，７とし、凹凸部及び縦辺と二つの横辺とにより囲まれる箇所を端枕部９，９とし、それら中央枕部５、中間枕部７，７及び端枕部９，９に充填部材を夫々収容すると共に、中央枕部５の高さを最も低く、中間枕部７，７を該中央枕部５とほぼ同じ若しくはやや高く、端枕部９，９を最も高く設けた」旨説明されている。
【０００７】  しかしながら、特許文献３は上記と同様、折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる枕ではない。
【０００８】  また、特許文献４（実登３０４８８７６号公報）には、「頚椎支持部，後頭部支持部に位置している頭部が睡眠中に寝返りをした場合に円滑に寝返り対応部に寝返りできると共に肩部周辺の保温も図ることができる枕を提供するものであって、枕１０の枕芯体１４の幅方向を三等分した個所には糸１８がミシン目状に縫われて枕芯体１４を一端部１４Ａ，中央部１４Ｂ，他端部１４Ｃに区画している。また、糸２０が前記中央部１４Ｂを頚椎支持部２４と後頭部支持部２６に区画形成している。枕芯体１４の頚椎支持部２４側の長辺部２８には中央が後頭部支持部２６に向かって一番食い込んで湾曲する円弧部２８Ａが形成されている。前記一端部１４Ａ，他端部１４Ｃには中央部１４Ｂ寄りから順に寝返り対応移行部３２と寝返り対応部３４が区画形成される」旨説明されている。
【０００９】  しかしながら、特許文献４も上記と同様、折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる枕ではない。さらに、上下の方向性があるために上下の両側からの使用が出来ない。
【先行技術文献】
【００１０】
【特許文献１】  特開２００９−０８２６３８号公報
【特許文献２】  特開２００３−３１９８６０号公報
【特許文献３】  実登３１１２８６５号公報
【特許文献４】  実登３０４８８７６号公報
【発明が解決しようとする課題】
【００１１】  この発明においては、折り畳み時、凸部と凸部が互いに押しつぶされて折り畳みが可能となり、枕内部の中袋等充填材を交換することなく多様な高さを形成でき、睡眠中の頸椎の高さを各段差において無意識に選択することができ、中袋が移動せず一定位置を確保できると共に、凸部高さを一定に安定して確保させることにより頸椎を安定させる。
【課題を解決する手段】
【００１２】  請求項１の発明は、頸椎方向である縦凸部区切りが直線状であり、凸部区切りの各幅が頭が乗せられる幅１０〜２０ｃｍ、凸部の各高さが１〜２０ｃｍであって、凸部間の凹部表裏に厚みを有さず、凸部を構成する中袋内の芯材が柔軟性を有する樹脂である折り畳み可能な枕を提供するものである。
【００１３】  この発明においては、折り畳み時、凸部と凸部が互いに押しつぶされて折り畳みが可能となる。
【００１４】  請求項２の発明は、前記凸部が４個所以上、凹部が３か所以上で、該各凹部に内部の凸部を形成する中袋を挿入する仕切りを設け、前記中袋が形成する凸部間の段差が３か所以上形成するようにした前記請求項１及び２に記載の折り畳み可能な枕を提供するものである。
【００１５】  この発明においては、枕内部の中袋等充填材を交換することなく多様な高さを形成でき、睡眠中の頸椎の高さを各段差において無意識に選択することができ、中袋が移動せず一定位置を確保できる。
【００１６】  請求項３の発明は、前記中袋中央内部に頸椎方向に仕切りを設け、前記チューブ状樹脂の拡がりを阻止して凸部高さを一定に確保するようにした折り畳み可能な枕を提供するものである。
【００１７】  この発明においては、凸部高さを一定に安定して確保させることにより頸椎を安定させる。
【発明を実施するための形態】
【００１８】  以下に本発明の一実施形態を図面に基づき説明する。図１は枕の正面斜視図、図２は枕の外袋をファスナにより開放した状態を示す正面斜視図、図３は枕の外袋内部の壁状の布構造を示す説明図、図４は枕内部の各中袋の斜視図、図５は中袋内部の充填材であるチューブ状プラスティック、図６は枕を２重に折り畳んだ状態を示す説明図、図７はさらに折り畳んだ状態を示す説明図、図８は５種類の高さの凸部を有する枕の模式図、図９は枕内部の５種類の中袋を示す模式図、図１０は枕中央に仰向けに寝た状態を示す天面図、図１１は枕の中央以外の部分に仰向けに寝た状態を示す天面図、図１２は仰向けに寝た状態を示す側面図、図１３は横向きに寝た状態を示す側面図、図１４はうつ伏せに寝た状態を示す側面図である。
【００１９】  図１及び図８に示す如く、安眠枕Ｍには頸椎方向Ａに縦凸部１、２，３，４，５が直線状であり、凸部１、２，３，４，５の各幅が１４ｃｍ（図８）であって、凸部の各高さが１０、６、２、４、８ｃｍに形成している。また、各凸部１、２，３，４，５間の凹部１ａ，２ａ，３ａ，４ａ表裏を繋ぐ仕切り６、７、８、９（図３）を枕外袋ｍに形成し、図２及ぶ３に示す如く、厚みを有さず袋ｍ内部を仕切るための壁状の布構造物としている。そして、図凸部１、２，３，４，５を構成する中袋１０，１１，１２，１３，１４内の芯材Ｐが柔軟性を有するプラスティックチューブ（図５）としている。したがって、この枕Ｍを図６及び図７の様に２重、３重に折り畳んだ時に凸部１〜５を形成する中袋１０，１１，１２，１３，１４が互いに押しつぶされて全体が折り畳みが可能となり、洗濯機内に容易に投入することができる。
【００２０】  図１乃至図４、図８及び図９に示す如く、前記凸部１〜５が５個所、凹部１ａ，２ａ，３ａ，４ａが４か所で、該各凹部内部の凸部１〜５を形成する中袋を挿入する仕切り６〜９を設け、前記中袋１０〜１４が形成する各凸部間の段差１５，１６，１７，１８を４か形成し、それぞれ各段差１５〜１８が異なる枕の高さとなっている。また、うつ伏せにも対応できる柔軟性をもっている。したがって、枕Ｍ内部の多種の中袋を交換することなく多様な高さを９段階（各凸部１、２，３，４，５間及び各凹部１ａ，２ａ，３ａ，４ａ）形成でき、睡眠中の頸椎の高さをこれら段差において無意識に選択することができ、表裏を繋ぐ仕切り６、７、８、９により中袋１０〜１４が移動せず一定位置を確保できる。したがって、寝る姿勢に応じて無意識に９種類の後頭部の高さを自在に変えることができる。
【００２１】  さらに、図４及び図９に示す如く、前記中袋１０〜１４の中央内部に頸椎方向Ａに仕切り１０ａ、１１ａ、１２ａ、１３ａ、１４ａを設け、上下面が平らな形状を維持するための壁状構造物の縫い目１０ｂ、１１ｂ、１２ｂ、１３ｂ、１４ｂを有すると共に、前記チューブ状樹脂芯材Ｐの押圧による拡がりを阻止して凸部１〜５の高さを確保するようにしている。チューブ状樹脂芯材は、天然素材、プラスティック等の化学系素材やその形状は様々な材料を使用することもできる。また複数の素材を混ぜて使用することもできる。したがって、凸部高さを一定に安定して確保させることにより頸椎を安定させるころができる。さらに、上記凸部１、２，３，４，５及び凹部１ａ，２ａ，３ａ，４ａの上部に柔軟な床をかぶせてこれら凹凸部への頭の接触感覚を和らげて使用することもできる。
【発明の効果】
【００２２】  この発明においては、折り畳み時、凸部と凸部が互いに押しつぶされて折り畳み可能な枕を提供することができる。
【００２３】  また、枕内部の中袋等充填材を交換することなく多様な高さを形成でき、睡眠中の頸椎の高さを各段差において無意識に選択することができ、中袋が移動せず一定位置を確保できる折り畳み可能な枕を提供することができる。
【００２４】  さらに、凸部高さを一定に安定して確保させることにより頸椎を安定させる折り畳み可能な枕を提供することができる。
【図面の簡単な説明】
【００２５】
【図１】枕の正面斜視図、
【図２】枕の外袋をファスナにより開放した状態を示す正面斜視図、
【図３】枕の外袋内部の壁状の布構造を示す説明図、
【図４】枕内部の各中袋の斜視図、
【図５】中袋内部の充填材であるチューブ状プラスティック、
【図６】枕を２重に折り畳んだ状態を示す説明図、
【図７】さらに折り畳んだ状態を示す説明図、
【図８】５種類の高さの凸部を有する枕の模式図、
【図９】枕内部の５種類の中袋を示す模式図
【図１０】枕中央に仰向けに寝た状態を示す天面図
【図１１】枕の中央以外の部分に仰向けに寝た状態を示す天面図
【図１２】仰向けに寝た状態を示す側面図
【図１３】横向きに寝た状態を示す側面図
【図１４】うつ伏せに寝た状態を示す側面図
【符号の説明】Ｍ                                      安眠枕
Ａ                                      頸椎方向
１、２，３，４，５                      凸部
１ａ，２ａ，３ａ，４ａ                  凹部
６、７、８、９                          仕切り
ｍ                                      枕外袋
１０，１１，１２，１３，１４            中袋
Ｐ・・・                                芯材
１５，１６，１７，１８                  凸部間の段差
１０ａ、１１ａ、１２ａ、１３ａ、１４ａ  前記中袋の仕切り
【図１】
2017131605.tif 000003
【図２】
2017131605.tif 000004
【図３】
2017131605.tif 000005
【図４】
2017131605.tif 000006
【図５】
2017131605.tif 000007
【図６】
2017131605.tif 000008
【図７】
2017131605.tif 000009
【図８】
2017131605.tif 000010
【図９】
2017131605.tif 000011
【図１０】
2017131605.tif 000012
【図１１】
2017131605.tif 000013
【図１２】
2017131605.tif 000014
【図１３】
2017131605.tif 000015
【図１４】
2017131605.tif 000016